(57)【要約】【課題】ドアシール体の交換作業をより迅速かつ簡便に行うことを可能にしながら、他物の接触や衝突に起因してドアシール体が抜け落ちることを確実に防止できる冷蔵庫を提供する。【解決手段】ドアシール構造は、縦長のシール枠１１と、シール枠１１に沿って配置される縦長のドアシール体１２と、ドアシール体１２の内部に配置される磁気吸着体６１とを含む。シール枠１１を、シールベース１４と、ガイド枠１５と、上端面キャップ１６および下端面キャップ１７などで構成する。上端面キャップ１６および下端面キャップ１７は、係合構造により前記シールベース１４の装着部に対して着脱可能に係合装着する。シールベース１４の装着部に、ドアシール体１２の下方移動を阻止するストッパー４３を設ける。【選択図】図１
2015230138.tif 000002
【特許請求の範囲】
【請求項１】
冷蔵庫本体（１）の出入口（２）を揺動開閉する観音開き構造の一対のドア（３・３）を有し、両ドア（３・３）の揺動先端の間にドア間の隙間を封止するドアシール構造が設けられている冷蔵庫であって、
ドアシール構造は、各ドア（３）の揺動先端に固定される縦長のシール枠（１１）と、シール枠（１１）に沿って配置される縦長のドアシール体（１２）と、ドアシール体（１２）の内部に配置される磁気吸着体（６１）とを含み、
シール枠（１１）は、ドア（３）に固定されるシールベース（１４）と、シールベース（１４）に圧嵌係合されてドアシール体（１２）を隣接するドア（３）へ向かって出退自在に支持するガイド枠（１５）と、ガイド枠（１５）の上端に装着される上端面キャップ（１６）と、ガイド枠（１５）の下端に装着される下端面キャップ（１７）とを備えており、
上端面キャップ（１６）および下端面キャップ（１７）は、係合構造により前記シールベース（１４）の装着部に対して着脱可能に係合装着されており、
シールベース（１４）の装着部に、ドアシール体（１２）の下方移動を阻止するストッパー（４３）が設けられていることを特徴とする冷蔵庫。
【請求項２】
シールベース（１４）は、ガイド枠（１５）が圧嵌係合される主ベース（１９）と、主ベース（１９）の上端に装着される上ベース（２０）と、主ベース（１９）の下端に装着される下ベース（２１）とを含み、
上端面キャップ（１６）と上ベース（２０）との間、および下端面キャップ（１７）と下ベース（２１）との間に前記係合構造が設けられており、当該係合構造により上端面キャップ（１６）は上ベース（２０）に係合装着され、下端面キャップ（１７）は下ベース（２１）に係合装着されており、
ストッパー（４３）が、下ベース（２１）に一体に設けられている請求項１に記載の冷蔵庫。
【請求項３】
ストッパー（４３）が、下ベース（２１）に設けられた２個以上のストッパー片（４３ａ・４３ｂ）で構成されている、請求項２記載の冷蔵庫。
【請求項４】
ドアシール体（１２）は、磁気吸着体（６１）が組み付けられる装填凹部（６３）と、装填凹部（６３）から連出される第１脚部（６４）と第２脚部（６５）とを含み、
シール枠（１１）には、第１脚部（６４）の挿入を許す第１ガイド溝（５８ａ）と、第２脚部（６５）の挿入を許す第２ガイド溝（５８ｂ）とが設けられており、
ストッパー（４３）が、第１ガイド溝（５８ａ）の下端に臨む第１ストッパー片（４３ａ）と、第２ガイド溝（５８ｂ）の下端に臨む第２ストッパー片（４３ｂ）とで構成されている、請求項２又は３記載の冷蔵庫。
【発明の詳細な説明】
【技術分野】
【０００１】
本発明は、観音開き式のドアを備え、一対のドアの揺動先端間にドアシール構造が設けられている冷蔵庫に関する。本発明における冷蔵庫とは、冷蔵庫、保冷庫、保温庫、温蔵庫を含む概念である。
【背景技術】
【０００２】
この種の冷蔵庫は、例えば特許文献１に公知である。係る特許文献１の冷蔵庫のドアシール構造は、各ドアの揺動先端に固定されるシール枠と、シール枠で支持される第１シール（ドアシール体）と、第１シールの内部に配置される磁石などで構成されている。シール枠の上下端にはそれぞれプラスチック材からなるキャップ（端面キャップ）が装着されており、キャップはシール枠に対してビスで固定されている。このキャップで、シール枠の溝に差込み係合した第１シールの上下方向への移動を規制して、第１シールがシール枠の上下端部から抜け出すのを防止している。
【０００３】
端面キャップを、ビス固定に替えて接着により固定することが特許文献２に開示されている。係る特許文献２の貯蔵庫のドアシール構造は、各開閉扉の揺動先端に固定される支持部材と、支持部材で支持される第２ドアパッキン（ドアシール体）と、第２ドアパッキンの内部に配置される磁石などで構成されている。第２ドアパッキンは、支持部材の挿入溝で支持されており、第２ドアパッキンの上下端面を、第１ドアパッキンの各先端面に接着固定した連結部材（端面キャップ）で覆うことにより、第２ドアパッキンの上下方向への移動を規制している。なお、連結部材は可撓性の合成樹脂で形成されている。同様の構成は特許文献３にも開示されている。
【先行技術文献】
【特許文献】
【０００４】
【特許文献１】特開平１１−３４４２８５号公報（段落番号００２２、図５）
【特許文献２】特開２００１−１９４０５０号公報（段落番号００２１、００２２、図６）
【特許文献３】特開平１１−６３７９９号公報（段落番号００２７、図８）
【発明の概要】
【発明が解決しようとする課題】
【０００５】
ドアシール体が劣化あるいは破損した場合には、ドアシール構造のシール機能を回復させるために、ドアシール体を交換する必要がある。特許文献１の冷蔵庫では、キャップを固定しているビスを緩めて、上下いずれかのキャップを取り外すことにより、第１シールをシール枠から抜き出して交換することができる。しかし、ビスを緩め操作するためのドライバーなどの工具が別途必要であり、ドアシール体の交換作業に手間を要していた。
【０００６】
その点、特許文献２および３の貯蔵庫では、可撓性の連結部材で第２ドアパッキンの上下移動を規制しているので、いずれかの連結部材を撓み変形させることにより、第２ドアパッキンを支持部材から簡便に抜き出して交換することができる。しかし、開閉扉を開けた状態において、下側の連結部材に他物が接触や衝突した場合には、連結部材が意図せず撓み変形して、第２ドアパッキンの自重により支持部材から脱落するおそれがある。第２ドアパッキンが脱落したことに気付かないまま開閉扉を閉じた場合には、一対の開閉扉の揺動先端間のシールを行うことができず、庫内の冷気が外部に漏れ出してしまう。
【０００７】
本発明の目的は、ドアシール体の交換作業をより迅速かつ簡便に行うことを可能にしながら、他物の接触や衝突に起因してドアシール体が抜け落ちることを確実に防止できる冷蔵庫を提供することにある。
【課題を解決するための手段】
【０００８】
本発明は、冷蔵庫本体１の出入口２を揺動開閉する観音開き構造の一対のドア３・３を有し、両ドア３・３の揺動先端の間にドア間の隙間を封止するドアシール構造が設けられている冷蔵庫を対象とする。ドアシール構造は、各ドア３の揺動先端に固定される縦長のシール枠１１と、シール枠１１に沿って配置される縦長のドアシール体１２と、ドアシール体１２の内部に配置される磁気吸着体６１とを含む。シール枠１１は、ドア３に固定されるシールベース１４と、シールベース１４に圧嵌係合されてドアシール体１２を隣接するドア３へ向かって出退自在に支持するガイド枠１５と、ガイド枠１５の上端に装着される上端面キャップ１６と、ガイド枠１５の下端に装着される下端面キャップ１７とを備えている。上端面キャップ１６および下端面キャップ１７は、係合構造により前記シールベース１４の装着部に対して着脱可能に係合装着されている。そして、シールベース１４の装着部に、ドアシール体１２の下方移動を阻止するストッパー４３が設けられていることを特徴とする。
【０００９】
シールベース１４は、ガイド枠１５が圧嵌係合される主ベース１９と、主ベース１９の上端に装着される上ベース２０と、主ベース１９の下端に装着される下ベース２１とを含む。上端面キャップ１６と上ベース２０との間、および下端面キャップ１７と下ベース２１との間に前記係合構造を設け、これら係合構造により上端面キャップ１６を上ベース２０に係合装着し、下端面キャップ１７を下ベース２１に係合装着する。ストッパー４３を下ベース２１に一体に設ける。
【００１０】
ストッパー４３を、下ベース２１に設けられた２個以上のストッパー片４３ａ・４３ｂで構成する。
【００１１】
具体的には、ドアシール体１２を、磁気吸着体６１が組み付けられる装填凹部６３と、装填凹部６３から連出される第１脚部６４と第２脚部６５とを含むものとする。シール枠１１に、第１脚部６４の挿入を許す第１ガイド溝５８ａと、第２脚部６５の挿入を許す第２ガイド溝５８ｂとを設ける。そして、ストッパー４３を第１ガイド溝５８ａの下端に臨む第１ストッパー片４３ａと、第２ガイド溝５８ｂの下端に臨む第２ストッパー片４３ｂとで構成する。
【発明の効果】
【００１２】
本発明に係る冷蔵庫においては、上端面キャップ１６および下端面キャップ１７のそれぞれを、係合構造によりシールベース１４に対して着脱可能に係合装着した。これによれば、ビスにより端面キャップを固定する従来形態に比べて、両端面キャップ１６・１７のシールベース１４に対する着脱作業をより少ない手間で迅速に行うことが可能となる。従って、両端面キャップ１６・１７のシールベース１４に対する装着作業を伴うドアシール構造の組立て作業をより迅速かつ簡便に行うことが可能となる。また、必要があれば、両端面キャップ１６・１７のシールベース１４に対する取り外し作業を伴うドアシール体１２の交換作業をより迅速かつ簡便に行うことが可能となる。
【００１３】
加えて、本発明においては、シールベース１４に設けた下端面キャップ１７の装着部に、ドアシール体１２の下方移動を阻止するストッパー４３を設けたので、ドアシール体１２がシールベース１４から不用意に抜け落ちることを確実に防ぐことができる。すなわち、本発明によれば、下端面キャップ１７がシールベース１４から脱落した異常状況下に陥った場合でも、該下端面キャップ１７の装着対象である装着部に設けられたストッパー４３により、ドアシール体１２の下方移動を阻止することができるので、ドアシール体１２がシールベース１４から不用意に抜け落ちることを確実に防ぐことができる。また、ドアシール体１２の脱落防止構造として、下端面キャップ１７だけでなく、ストッパー４３をも設けた分だけ、当該脱落防止構造の耐荷重や耐衝撃性の増強を図ることができるので、信頼性に優れた冷蔵庫を得ることができる。
【００１４】
両端面キャップ１６・１７が係合装着されるシールベース１４の上下端部を、主ベース１９とは別体の上下ベース２０・２１で構成していると、当該上下端部の両端面キャップ１６・１７との間の係合構造を設計する際の設計自由度が向上する。すなわち、シールベース１４の上下端部を、主ベース１９とは別体の上下ベース２０・２１で構成していると、シールベース１４の全体を単一の部材で構成する形態に比べて、例えばシールベース１４の上下端の断面形状等といった設計の自由度が向上し、当該上下端の係合構造の設計自由度が格段に向上する。以上より、上端面キャップ１６および下端面キャップ１７の係合構造に、所望の係合強度を付与することが可能となるため、当該上下端部の係合構造を最適化できる。加えて、下ベース２１にストッパー４３を一体に設けていると、当該ストッパー４３を別部材で構成する場合に比べて、部品点数を減らし、ストッパー４３の組み付けの手間を省くことができるので、その分だけ冷蔵庫の製造コストを削減することができる。また、ストッパー４３の構造、或いはシールベース１４の構造の簡素化を実現し、この点でも冷蔵庫の製造コストを削減することができる。また、下ベース２１にストッパー４３を一体に設けていると、ストッパー４３が破損した場合でも、下ベース２１のみを交換すればよく、シールベース１４の全体を交換する場合に比べて、ストッパー４３の交換コストを削減できる。
【００１５】
ストッパー４３が、下ベース２１に設けられた２個以上のストッパー片４３ａ・４３ｂで構成されていると、一つのストッパー片でストッパー４３を構成する場合に比べて、ストッパー４３の耐荷重や耐衝撃性の増強を図ることができるので、信頼性に優れた冷蔵庫を得ることができる。
【００１６】
具体的には、ドアシール体１２を第１脚部６４と第２脚部６５の二つの脚部を備えるものとし、これに対応して、ストッパー４３を、シール枠１１の第１ガイド溝５８ａの下端に臨む第１ストッパー片４３ａと、シール枠１１の第２ガイド溝５８ｂの下端に臨む第２ストッパー片４３ｂの二つのストッパー片を備えるものとすることができる。これによれば、衝撃等により一方のストッパー片４３ａ・４３ｂが破損した場合でも、他方のストッパー片４３ａ・４３ｂによりドアシール体１２の脚部６４・６５を受け止めることができるので、ガイド枠１５からドアシール体１２が抜け落ちることを確実に防ぐことができる。
【図面の簡単な説明】
【００１７】
【図１】本発明に係る冷蔵庫のドアシール構造の下端面キャップを下ベースから分離した状態を示す横断平面図である。
【図２】本発明に係る冷蔵庫の正面図である。
【図３】ドアシール構造の分解断面図である。
【図４】ドアシール構造の上下方向中央位置における横断平面図である。
【図５】ドアシール構造の下側の構造を示す分解斜視図である。
【図６】ドアシール構造の上側の構造を示す分解斜視図である。
【図７】シールベースを分解した状態の背面図である。
【図８】ドアシール構造を分解した状態の背面図である。
【図９】ドアシール構造の一部破断背面図である。
【図１０】ドアシール構造の下ベース位置における横断平面図である。
【発明を実施するための形態】
【００１８】
（実施例）  図１乃至図１０に、本発明に係る冷蔵庫を示す。本発明における前後、左右、上下、とは、図２および図４に示す交差矢印と、各矢印の近傍に表記した前後、左右、上下の表示に従う。図２において、符号１は冷蔵庫本体であり、その内部は上下２段の冷蔵室に区分されている。各冷蔵室の前面で開口する出入口２は、観音開き構造の一対のドア３・３で揺動開閉できるようになっており、各ドア３は、出入口２の両側の上下に配置したドアヒンジ４で支持されている。なお、ドア３の前面には把手５が設けられている。
【００１９】
ドア３の内面（庫内側）の上下辺部および吊元側の辺部に沿ってドアパッキン６がコ字状に設けられており、これとは別に各ドア３・３の揺動先端に、ドア間の隙間を封止するドアシール構造が設けられている。ドアパッキン６の内部には棒状の磁石７が配置されており、この磁石７と出入口２の開口周縁壁（鋼板）との磁気吸着作用で、ドア３と冷蔵庫本体１との接合部分をドアパッキン６で封止し、さらにドア３を閉じ状態に保持している。ドア３の揺動先端間の隙間の上下端のそれぞれに、シール構造とドアパッキン６との隙間からの冷気の漏れを防ぐ左右一対の端部シール８が設けられている。端部シール８は、ドア３に対する締結座を除くほとんどの部分が、弾性を有するエラストマーを素材として形成されており、ドアパッキン６の先端部に連続するように配置されてビスで固定されている（図８参照）。
【００２０】
図３に示すようにドア３の内面側には、各辺部に沿って四角枠状の段落面９が形成されており、この段落面９に、先のドアパッキン６とドアシール構造とが組み込まれている。ドアシール構造は、各ドア３の段落面９に固定される縦長のシール枠１１と、シール枠１１の内部に組み付けられる縦長のドアシール体１２などで構成される。シール枠１１は、ドア３に固定されるシールベース１４と、ドアシール体１２を隣接するドア３へ向かって出退自在に支持するガイド枠１５と、ガイド枠１５の上下端にそれぞれ配置されてドアシール体１２の上下方向の移動を規制する上端面キャップ１６および下端面キャップ１７（図８参照）などで構成される。また、図７に示すように、シールベース１４は、主ベース１９と、主ベース１９の上下端にそれぞれ装着される上ベース２０および下ベース２１とで構成され、これらの部材は、それぞれ先の段落面９にビスで固定される。上端面キャップ１６は、上端面キャップ１６と上ベース２０との間に設けられた係合構造により上ベース２０に係合装着され、下端面キャップ１７は、下端面キャップ１７と下ベース２１との間に設けられた係合構造により下ベース２１に係合装着される。
【００２１】
図３に示すように主ベース１９は、ドア３の段落面９に固定される締結座２４と、締結座２４の左右の両側端の後面に突設された係合壁２５・２６と、締結座２４の後面の左右中央に突設されたバックアップ壁２７とを備える縦長のプラスチック製の押出成形品からなり、各係合壁２５・２６の先端には、ガイド枠１５を固定するための係合段部２５ａ・２６ａが設けられている。係合壁２５の近傍の締結座２４、およびバックアップ壁２７の中途部のそれぞれには、結露防止用のヒーター２８・２８を装填するための装填溝２９・２９が主ベース１９の全長にわたって形成されている。係合壁２６とバックアップ壁２７との間の締結座２４の上下端には、上ベース２０および下ベース２１の係止爪４０が係止される係止穴３０ａ・３０ｂが開口されている（図７参照）。
【００２２】
図５、図７および図１０に示すように、下ベース２１は、主ベース１９とほぼ同一の断面形状を有するプラスチック製の射出成形品であり、先の主ベース１９と同様に、ドア３の段落面９に固定される締結座３４と、締結座３４の左右の両側端の後面に突設された係合壁３５・３６と、締結座３４の後面の左右中央に突設されたバックアップ壁３７とを備える。また、主ベース１９と同様に、各係合壁３５・３６の先端には、ガイド枠１５を固定するための係合段部３５ａ・３６ａが設けられており、さらに係合壁３５の近傍の締結座３４、およびバックアップ壁３７の中途部のそれぞれには、ヒーター２８・２８を装填するための装填溝３９・３９が形成されている。
【００２３】
下ベース２１を主ベース１９に装着固定するための係合構造は、下ベース２１側の係止爪４０と、主ベース１９側の係止穴３０ｂとで構成される。係止爪４０は、下ベース２１側の締結座３４から上方に向かって連出された弾性腕４１の上端に設けられている。係止穴３０ｂは、主ベース１９側の締結座２４の下端に開設されている。
【００２４】
装着固定状態における下ベース２１の主ベース１９に対する前後および左右方向の位置決め構造は、先の弾性腕４１と、バックアップ壁３７の基部側（締結座３４からの突出始端側）に設けられた２本の位置決め突起４２・４２とで構成される。これら位置決め突起４２・４２は、締結座３４の内面、およびバックアップ壁３７の上面から上方に向かって突設されている。
【００２５】
以上より、弾性腕４１を変形させながら、係止穴３０ｂに係止爪４０を係合させることにより、下ベース２１を主ベース１９の下端に装着固定することができる。加えて、かかる装着固定状態においては、弾性腕４１と位置決め突起４２・４２とで主ベース１９のバックアップ壁２７を左右方向から挟持することで下ベース２１の主ベース１９に対する左右方向の位置決めを図ることができる。また、２本の位置決め突起４２・４２がバックアップ壁２７に設けられたリブ２７ａを前後方向から挟持することで下ベース２１の主ベース１９に対する前後方向の位置決めを図ることができる。
【００２６】
図５および図１０において、符号４３は、ドアシール体１２の下方移動を阻止するストッパーを示す。かかるストッパー４３は、バックアップ壁３７の前後方向の中途部に設けられた保持板（第１ストッパー片）４３ａと、バックアップ壁３７の先端に設けられた保持腕（第２ストッパー片）４３ｂとで構成される。このように、下ベース２１にストッパー４３を一体に設けていると、当該ストッパー４３を別部材で構成する場合に比べて、部品点数を減らし、ストッパー４３の組み付けの手間を省くことができるので、その分だけ冷蔵庫の製造コストを削減することができる。また、ストッパー４３の構造、或いはシールベース１４の構造の簡素化を実現し、この点でも冷蔵庫の製造コストを削減することができる。また、下ベース２１にストッパー４３を一体に設けていると、ストッパー４３が破損した場合でも、下ベース２１のみを交換すればよく、シールベース１４の全体を交換する場合に比べて、ストッパー４３の交換コストを削減できる。かかるストッパー４３の詳細については後述する。
【００２７】
図１および図１０に示すように、下ベース２１に対して下端面キャップ１７を着脱可能に係合装着するための係合構造は、下ベース２１に設けられたベース側係合部４４（４４ａ〜４４ｃ）と、下端面キャップ１７に設けられたキャップ側係合部７４（７４ａ〜７４ｃ）とで構成される。より詳しくは、上記係合構造は、下ベース２１の係合壁３６に設けられた第１のベース側係合部４４ａと、バックアップ壁３７に設けられた第２のベース側係合部４４ｂと、保持腕４３ｂに設けられた第３のベース側係合部４４ｃと、これら第１乃至第３のベース側係合部４４ａ〜４４ｃと係合する下端面キャップ１７の第１乃至第３のキャップ側係合部７４ａ〜７４ｃとで構成される。第１のベース側係合部４４ａは、係合壁３６のバックアップ壁３７に対する対向面に設けられ、第２のベース側係合部４４ｂは、バックアップ壁３７の係合壁３６に対する対向面に設けられている。第３のベース側係合部４４ｃは、保持腕４３ｂの先端に設けられている。
【００２８】
図６および図７に示すように、上ベース２０は、下ベース２１を上下勝手違いの構成としたものであり、先のストッパー４３を構成する保持板４３ａおよび保持腕４３ｂを廃した点が、下ベース２１と相違する。それ以外の点は、下ベース２１と同様であるので、同一の部材には同一の符号を付して、その説明を省略する。上ベース２０は、その係止爪４０を係止穴３０ａに係止させることで、主ベース１９の上端に装着固定することができる。また、下ベース２１と同様に、弾性腕４１と位置決め突起４２とで左右方向および前後方向の位置決めが図られている。上ベース２０に対して上端面キャップ１６を着脱可能に係合装着するための係合構造は、上ベース２０に設けられたベース側係合部４４（４４ａ・４４ｂ）と、上端面キャップ１６に設けられたキャップ側係合部７４（７４ａ・７４ｂ）とで構成される。上ベース２０における第１のベース側係合部４４ａの構成、および第２のベース側係合部４４ｂの構成は、先の下ベース２１のそれら（４４ａ・４４ｂ）と同様である。
【００２９】
図３に示すように、ガイド枠１５は、断面がＥ字状の枠本体５０と、枠本体５０に連続して横向きに連出されるカバー壁５１と、カバー壁５１の連出端に設けられるシール舌片５２とを一体に備えたプラスチック成形品からなる。枠本体５０およびカバー壁５１は、硬質プラスチック材を素材にして押出形成するが、その成形過程で軟質のプラスチック材からなるシール舌片５２を同時に成形して一体化している。枠本体５０およびカバー壁５１には、先の係合段部２５ａ・２６ａ・３５ａ・３６ａに対応する係合爪５０ａ・５１ａを設けている。ガイド枠１５の上下寸法は、主ベース１９に上ベース２０と下ベース２１とを装着した状態の上下寸法と略同一に設定されている。図３および図１０に示すように、主ベース１９の係合段部２５ａ・２６ａ、および両ベース２０・２１の係合段部３５ａ・３６ａに係合爪５０ａ・５１ａを圧嵌係合する状態で、ガイド枠１５を主ベース１９の内面に組付けることにより、係合壁２６・３６とバックアップ壁２７・５７との間の空間をカバー壁５１で塞ぐことができる。また、カバー壁５１とドア３の内面壁との間の隙間をシール舌片５２で塞いで、庫内空気が漏出るのを防ぐことができる。枠本体５０は係合壁２５・３５とバックアップ壁２７・３７とで支持される。
【００３０】
図３に示すように枠本体５０には、主ベース１９の締結座２４の側から順に、ガイド壁５３と、シール壁５４と、脚受壁５５とが設けられ、シール壁５４の突端に吸着板５６を組付けるための装填溝５７が形成されている。吸着板５６は、例えば鉄板に代表される鉄系吸着材で帯板状に形成されている。ガイド壁５３と脚受壁５５との間に、対向するドア３の側へ向かって開口する縦長のガイド溝５８が形成されており、このガイド溝５８で、後述するドアシール体１２のパッキンフレーム６０を支持して、ドアシール体１２を隣接するドア３へ向かって出退自在に案内支持している。ガイド溝５８は、シール壁５４で前方側の第１ガイド溝５８ａと、後方側の第２ガイド溝５８ｂとに区分されている。ガイド壁５３が締結座２４と平行に形成してあるのに対し、シール壁５４と脚受壁５５とはガイド壁５３と非平行に設けられてハ字状に傾斜している。詳しくは、シール壁５４はその突端がガイド壁５３から遠ざかる向きに傾斜してあり、脚受壁５５はその突端がガイド壁５３に接近する向きに傾斜している。カバー壁５１の上下端には、後述する上端面キャップ１６および下端面キャップ１７の係合壁７２・７２を受け入れる切欠き５９・５９が形成されている（図９参照）。
【００３１】
図３および図５に示すようにドアシール体１２は、ガイド枠１５のガイド溝５８で出退自在に案内支持されるパッキンフレーム６０と、パッキンフレーム６０の進出端に配置される磁石（磁気吸着体）６１と、磁石６１の外面を覆う弾性パッキン６２などで構成する。磁石６１は弾性パッキン６２の内部に配置されている。パッキンフレーム６０は、磁石６１用の装填凹部６３と、パッキンフレーム６０の出退方向に沿って装填凹部６３から連出されるスライド脚（第１脚部）６４と、スライド脚６４に対して傾斜するシール脚（第２脚部）６５とを一体に備えた、硬質プラスチック材製の押出成形品からなる。シール脚６５はその突端がスライド脚６４から遠ざかる向きに傾斜しており、その傾斜角度は、先のガイド枠１５の脚受壁５５と同角度に設定されている。スライド脚６４およびシール脚６５の突端には、それぞれ規制片６６が設けられている。ドアシール体１２は、第１ガイド溝５８ａにスライド脚６４が装填され、第２ガイド溝５８ｂにシール脚６５が装填された状態で支持される。各規制片６６は、装填溝５７の周囲壁の段部、あるいは脚受壁５５の基端の段部に受止められて、パッキンフレーム６０がガイド溝５８から横方向へ抜出るのを防止する。シール壁５４と対向するシール脚６５の脚壁には、シール壁５４に摺接する軟質樹脂製のシール舌片６７が固定されている。
【００３２】
図１に示すように、ガイド溝５８内にドアシール体１２を装着した状態において、スライド脚６４の下方に保持板４３ａが位置し、シール脚６５の下方に保持腕４３ｂが位置している。すなわち、保持板４３ａは、スライド脚６４が装填される第１ガイド溝５８ａの下側開口に臨み、保持腕４３ｂは、シール脚６５が装填される第２ガイド溝５８ｂの下側開口に臨んでいる。これにより、下端面キャップ１７が下ベース２１から脱落した異常状況下に陥った場合でも、ストッパー４３でドアシール体１２がガイド溝５８から脱落することを防いでいる。なお、常態においては、スライド脚６４の下端と保持板４３ａ、およびシール脚６５の下端と保持腕４３ｂは隙間を介して対向しており（図９参照）、下端面キャップ１７が下ベース２１から脱落した場合には、ドアシール体１２は前記隙間分だけ落下したのちストッパー４３で下方移動が阻止される。
【００３３】
上記の構成によれば、衝撃等により保持板４３ａまたは保持腕４３ｂの一方が破損した場合でも、他方の保持板４３ａまたは保持腕４３ｂによりドアシール体１２のスライド脚６４またはシール脚６５を受け止めることができるので、ガイド枠１５からドアシール体１２が抜け落ちることを確実に防ぐことができる。また、ストッパー４３が、下ベース２１に設けられた保持板４３ａおよび保持腕４３ｂで構成されていると、一つのストッパー片でストッパー４３を構成する場合に比べて、ストッパー４３の耐荷重や耐衝撃性の増強を図ることができるので、信頼性に優れた冷蔵庫を得ることができる。
【００３４】
磁石６１は角棒状のプラスチック磁石からなり、装填凹部６３内に装填した状態でドアシール体１２の上下端に磁石押さえ６８（図９参照）をそれぞれ固定することにより、ドアシール体１２の出退方向に沿って移動自在に組付けられる。具体的には、各磁石６１は、対向する磁石６１・６１どうしが弾性パッキン６２を間にして吸着しあう封止吸着位置（図４参照）と、吸着板５６に吸着して装填凹部６３の内奥壁で受止められる待機吸着位置（図１参照）との間で移動可能に構成されている。一対のドア３・３の隙間を介して対向するドアシール体１２・１２の磁石６１・６１は、一方の磁石６１の磁気吸着面をＳ極とするとき、他方の磁石６１の磁気吸着面がＮ極になるように組付けられている。以上より、開放されていたドア３を閉じ操作する過程で両磁石６１・６１が所定距離まで接近すると、磁石６１・６１は待機吸着位置から封止吸着位置に移動し、これにより、図４に示すように弾性パッキン６２・６２どうしを密着させて、ドア３間の隙間を封止することができる。また、ドア３の開放操作に伴って、磁石６１・６１どうしの磁気吸着作用が解消されると、磁石６１と吸着板５６との間の磁気吸着力により、磁石６１は待機吸着位置へ移動する。さらにドアシール体１２がガイド溝５８の内方に退入操作される。従って、ドア３を開閉するときドアシール体１２が遊動し、あるいはぐら付くのを防止できる。
【００３５】
上端面キャップ１６と下端面キャップ１７とは、ガイド溝５８で出退自在に案内支持されるドアシール体１２の上下方向の移動を規制するために設けられている。図１および図５に示すように下端面キャップ１７はプラスチック成形品からなり、ガイド枠１５の平面形状に近似する異形五角形状の水平壁７０と、水平壁７０の前縁部から下方に延設される垂直壁７１と、後端傾斜縁部から上方に延設される係合壁７２とで構成されている。係合壁７２は、先の切欠き５９と同形状に形成されており、この係合壁７２に、下ベース２１のベース側係合部４４ａ・４４ｂと係合する第１キャップ爪７４ａおよび第２キャップ爪７４ｂが後方に向かって延設されている。水平壁７０の上面には、先のストッパー４３を収容する収容凹部７７が凹み形成されており、第１および第２キャップ爪（キャップ側係合部）７４ａ・７４ｂから離れた側の収容凹部７７の周壁面に、保持腕４３ｂの第３のベース側係合部４４ｃと係合する第３キャップ爪（キャップ側係合部）７４ｃが形成されている。下端面キャップ１７は、第１から第３のキャップ爪７４ａ〜７４ｃと先のベース側係合部４４ａ〜４４ｃとで構成される３個の係合構造で、下ベース２１に係合装着されている。第１および第２キャップ爪７４ａ・７４ｂをベース側係合部４４ａ・４４ｂに係合させ、第３キャップ爪７４ｃを第３のベース側係合部４４ｃ（保持腕４３ｂ）に係合させることにより、下端面キャップ１７を下ベース２１に係合装着することができる。このとき、垂直壁７１が、端部シール８に凹み形成された凹部７８に収容されることにより、下端面キャップ１７の上下方向の移動が阻止される（図９参照）。凹部７８に収容された垂直壁７１の後面と端部シール８の後面とは、面一状になっている。
【００３６】
下端面キャップ１７を下ベース２１に係合装着した状態においては、水平壁７０の上面で、下側の磁石押さえ６８を受止めることにより、ドアシール体１２の下方への移動を規制している（図９参照）。この状態では、ストッパー４３を構成する保持板４３ａと保持腕４３ｂの上面は、水平壁７０の上面よりも僅かに低い位置にあり、従って、下側の磁石押さえ６８は、保持板４３ａおよび保持腕４３ｂの上面とは接触していない。これにより、ドアシール体１２に下向きの外力が作用したときに、磁石押さえ６８で第３キャップ爪７４ｃと保持腕４３ｂ（ベース側係合部４４ｃ）との係合が解除されるのを防止している。
【００３７】
図６に示すように上端面キャップ１６は、下端面キャップ１７を上下勝手違いにし、収容凹部７７および第３キャップ爪７４ｃを廃してその分水平壁７０の厚み寸法を小さくしたプラスチック成形品からなる。従って、同一の機能を有する部材には同一の符号を付して説明を省略する。これより、上端面キャップ１６は、第１および第２キャップ爪７４ａ・７４ｂと先のベース側係合部４４ａ・４４ｂとで構成される２個の係合構造で、上ベース２０に係合装着されている。第１および第２キャップ爪７４ａ・７４ｂをベース側係合部４４ａ・４４ｂに係合させることにより、上端面キャップ１６を上ベース２０に係合装着できる。このとき、下端面キャップ１７と同様に、垂直壁７１が、端部シール８に凹み形成した凹部７８に収容されることにより、上端面キャップ１６の上下方向の移動が阻止される（図９参照）。ドアシール体１２は、上側の磁石押さえ６８が水平壁７０の下面で受止められることにより、上方への移動が規制される。
【００３８】
上記のように、上端面キャップ１６の第１キャップ爪７４ａおよび第２キャップ爪７４ｂと、下端面キャップ１７の第１キャップ爪７４ａおよび第２キャップ爪７４ｂとは同一に形成されており、また、上ベース２０および下ベース２１のベース側係合部４４ａ・４４ｂも同一に形成されている。これより、第１および第２キャップ爪７４ａ・７４ｂに係る係合構造部分では同一の係合強度を発揮し、加えて、下端面キャップ１７には、第３キャップ爪７４ｃによる係合強度が追加されるため、下端面キャップ１７の係合強度は、上端面キャップ１６の係合強度よりも第３キャップ爪７４ｃの分だけ、係合強度は大きく設定される。
【００３９】
上記のように、両端面キャップ１６・１７が係合装着されるシールベース１４の上下端部を、主ベース１９とは別体の上下ベース２０・２１で構成すると、当該上下端部の両端面キャップ１６・１７との間の係合構造を設計する際の設計自由度が向上する。すなわち、シールベース１４の上下端部を、主ベース１９とは別体の上下ベース２０・２１で構成していると、シールベース１４の全体を単一の部材で構成する形態に比べて、例えばシールベース１４の上下端の断面形状等といった設計の自由度が向上し、当該上下端の係合構造の設計自由度が格段に向上する。以上より、上端面キャップ１６および下端面キャップ１７の係合構造に、所望の係合強度を付与することが可能となるため、当該上下端部の係合構造を最適化できる。
【００４０】
以上のように、本実施例の冷蔵庫のドアシール構造においては、上端面キャップ１６および下端面キャップ１７のそれぞれを、係合構造によりシールベース１４（上ベース２０、下ベース２１）に対して着脱可能に係合装着したので、ビスにより端面キャップを固定する従来形態に比べて、両端面キャップ１６・１７のシールベース１４に対する着脱作業をより少ない手間で迅速に行うことが可能となる。従って、両端面キャップ１６・１７のシールベース１４に対する装着作業を伴うドアシール構造の組立て作業をより迅速かつ簡便に行うことが可能となり、また、必要があれば、両端面キャップ１６・１７のシールベース１４に対する取り外し作業を伴うドアシール体１２の交換作業をより迅速かつ簡便に行うことが可能となる。
【００４１】
また、下端面キャップ１７の装着部である下ベース２１に、ドアシール体１２の下方移動を阻止するストッパー４３を設けたので、ドアシール体１２が下方へ移動しようとするのをストッパー４３で受止めて阻止できる。また、ドアシール体１２の下方移動を、下端面キャップ１７とストッパー４３とで規制するので、ガイド枠１５からドアシール体１２が抜け落ちるのを確実に防止できる。
【００４２】
上記の実施例では、ストッパー４３を保持板４３ａと保持腕４３ｂとの２個の部材で構成したが、どちらか一方であってもよい。
【符号の説明】
【００４３】
１  冷蔵庫本体
２  出入口
３  ドア
１１  シール枠
１２  ドアシール体
１４  シールベース
１５  ガイド枠
１６  上端面キャップ
１７  下端面キャップ
１９  主ベース
２０  上ベース
２１  下ベース
４３  ストッパー
４３ａ  第１ストッパー片（保持板）
４３ｂ  第２ストッパー片（保持腕）
５８ａ  第１ガイド溝
５８ｂ  第２ガイド溝
６１  磁気吸着体
６３  装填凹部
６４  第１脚部（スライド脚）
６５  第２脚部（シール脚）
【図１】
2015230138.tif 000003
【図２】
2015230138.tif 000004
【図３】
2015230138.tif 000005
【図４】
2015230138.tif 000006
【図５】
2015230138.tif 000007
【図６】
2015230138.tif 000008
【図７】
2015230138.tif 000009
【図８】
2015230138.tif 000010
【図９】
2015230138.tif 000011
【図１０】
2015230138.tif 000012